(57)【特許請求の範囲】
【請求項１】
ピン口金（３）、特に２ピン口金を備えたランプ（２）のためのソケット（１）であって、当該ソケットのハウジング（６）内にランプ（２）のコンタクトピン（４，５）のためのコンタクト手段（１２，１４）が配置されており、ハウジング（６）が、回転体（２３）を収容するためのハウジング開口（２２）を有しており、前記回転体（２３）が、導入スリット（２６）を有していて、ハウジング（６）内に回転可能に支承されており、さらに前記回転体（２３）が、固定手段（３２）によってハウジング（６）に保持されており、前記回転体（２３）が、ディスク形のフロントシールド（２４）と、該フロントシールド（２４）から離れる方向でハウジング（６）内へ突入して延びるスリット付のピン区分（２５）とを有している形式のものにおいて、前記固定手段（３２）が、前記ピン区分（２５）の端面側の端区分（２８）と、ハウジング（６）に取り付けられたボタン形の短い保持ピン（３１）とにより形成されており、該保持ピン（３１）が、前記端区分（２８）に設けられた支承開口（２９）を貫通して係合していて、前記回転体（２３）が、前記端区分（２８）でのみ保持されており、前壁（９）とフロントシールド（２４）との間に案内装置（４３）が形成されており、該案内装置（４３）に、円弧状のリブ（３７）と円弧状の溝（４２）とが所属しており、該リブ（３７）と該溝（４２）とが、それぞれフロントシールド（２４）と前壁（９）とに形成されていることを特徴とする、ピン口金を備えたランプのためのソケット。
【請求項２】
ハウジング（６）が後壁（１１）を有しており、該後壁（１１）に前記保持ピン（３１）が形成されている、請求項１記載のソケット。
【請求項３】
前記保持ピン（３１）が係止ピンである、請求項１記載のソケット。
【請求項４】
前記保持ピン（３１）が、互いに離れる方向でばね弾性的にプレロードもしくは予荷重をかけられた少なくとも２つの脚部（３１ａ，３１ｂ）を有しており、該脚部（３１ａ，３１ｂ）の外面が円錐面を備えており、前記端区分（２８）に設けられた支承開口（２９）が、該円錐面に対応する少なくとも１つの円錐状の範囲（３４）を有している、請求項１記載のソケット。
【請求項５】
フロントシールド（２４）がハウジング（６）の前壁（９）に載着されている、請求項１記載のソケット。
【請求項６】
当該ソケットに係止手段（４５）が設けられており、該係止手段（４５）が、フロントシールド（２４）と前壁（９）との間で作用する、請求項１記載のソケット。
【請求項７】
係止手段（４５）が、前壁（９）に形成された係止舌片（４６）を有しており、該係止舌片（４６）に、フロントシールド（２４）に形成された少なくとも１つの切り欠き（４９）が対応している、請求項６記載のソケット。
【請求項８】
ハウジング（６）が２つの部分から形成されている、請求項１記載のソケット。
【請求項９】
一方のハウジング部分（８）が後壁（１１）を有していて、他方のハウジング部分（７）が前壁（９）を有しており、回転体（２３）が両ハウジング部分（７，８）を互いに確保している、請求項２、５または８記載のソケット。
【発明の詳細な説明】
【０００１】
【発明の属する技術分野】
本発明は、特に蛍光ランプのコンタクトおよび保持のための、ピン口金、特に２ピン口金、つまり２本のピンを備えた口金もしくはベースを備えたランプのためのソケットであって、当該ソケットのハウジング内にランプのコンタクトピンのためのコンタクト手段が配置されており、ハウジングが、回転体を収容するためのハウジング開口を有しており、前記回転体が、導入スリットを有していて、ハウジング内に回転可能に支承されており、さらに前記回転体が、固定手段によってハウジングに保持されており、前記回転体が、ディスク形のフロントシールドと、該フロントシールドから離れる方向でハウジング内へ突入して延びるスリット付のピン区分とを有している形式のものに関する。
【０００２】
【従来の技術】
蛍光ランプは、頻繁に使用される形では真っ直ぐな管として形成されており、この管はそれぞれ端部側に２ピン口金を有している。このような蛍光ランプを保持しかつコンタクトするためには、特別なソケットが使用されている。このソケットは、ランプ長さに相応する間隔を置いて互いに向かい合って位置して配置されている。
【０００３】
このようなソケットは、たとえばドイツ連邦共和国特許出願公開第１９９１７６８２号明細書に基づき公知である。ランプソケットのハウジングは、両ランプピンを側方から導入するための導入スリットを有している。ハウジングの前側には、ディスク形のハウジング部分が回転可能に支承されて配置されている。導入スリットはこのディスク形のハウジング部分を貫通している。さらに、ハウジングは２つの部分から形成されている。ハウジング前側部分はコンタクトエレメントと、回転可能に支承された部分と、ソケットを位置固定的に支承するための固定エレメントとを支持している。他方のハウジング部分は底部を形成しており、この底部は別個に前側部分に固定され得る。このためには、相応する結合手段が、前側部分に設けられた差込み開口と、底部に設けられたピンとの形で設けられており、このような結合手段のためには、ある程度の製作手間がかかる。
【０００４】
回転可能に支承された前側部分のすぐ下には、コンタクトラグまたはコンタクトばねが位置しており、これらのコンタクトラグまたはコンタクトばねには、外部から手が届かないようになっている。
【０００５】
ドイツ連邦共和国特許出願公開第２７０８４２６号明細書に基づき、上記形式の蛍光ランプのための、回転体を備えたランプソケットが公知である。回転体はハウジングを貫通している。この公知のソケットは管形のピンを有しており、このピンは側方にスリットを備えている。このようなピンが導入位置にある場合に、このピンはコンタクトばねを遮蔽してしまう。このピンはソケット後面でソケットハウジングと係止されている。このようなソケットはソケットの組立ての点で問題がある。コンタクトばねを前側または後側からハウジング内に容易に挿入することができない。組立ては自動化のために適していない。
【０００６】
ドイツ連邦共和国特許第１９７４５７６２号明細書に基づき、やはり蛍光ランプソケットが公知である。この公知のソケットの特別な点は、ランプのコンタクトピンが半径方向で支持される点にある。このためには、回転体を収容するハウジング部分が、管形の付設部を備えており、この付設部は、回転体に設けられた、ハウジング内に延びるピンを収容している。管形の付設部の大きさは、蛍光ランプのコンタクトピンが接続位置へ回動される際に、コンタクトピンが前記付設部の外面に沿ってスライドするように設定されている。
【０００７】
欧州特許出願公開第７５８８０８号明細書に基づき、さらに、回転体を備えた蛍光ランプソケットが公知である。回転体は２つの係止脚部によってハウジング内に保持されている。この回転体は、スリットを備えたフロント区分を有しており、このフロント区分はハウジングの前側に設けられたハウジング開口内で、このハウジングに被さることなしに整合して延びている。ハウジング裏側からは、ばね弾性的な２つの脚部が回転体の内室に突入していて、この回転体をほぼフロントシールドの高さのところで係止している。
【０００８】
このような構造は、極めて狭いピン間隔を有する蛍光ランプのためにはほとんど適していない。
【０００９】
【発明が解決しようとする課題】
そこで本発明の課題は、冒頭で述べた形式の、ピン口金を備えたランプのためのソケットを改良して、小さなピン間隔を有するランプのために適しているような、製作し易いソケットを提供することである。
【００１０】
【課題を解決するための手段】
この課題を解決するために本発明の構成では、前記固定手段が、前記ピン区分の端面側の端区分と、ハウジングに取り付けられた保持ピンとにより形成されており、該保持ピンが、前記端区分に設けられた支承開口を貫通して係合しているようにした。
【００１１】
【発明の効果】
本発明によるソケットは、ハウジング内へ突入して延びるピン区分を有する回転体を有している。本発明によれば、この回転体はハウジング後壁に保持されており、すなわちピン区分の端面側の端区分をソケットハウジングに、有利にはハウジング後壁に支承することにより保持されている。この手段に基づき、回転体のピン区分の外面にも、回転体の内室にも固定手段は配置されていない。固定手段は、蛍光ランプのコンタクトピンと接触しないように配置されている。換言すれば、固定手段は完全に、コンタクトピンが到達し得ない軸方向範囲に配置されている。このためには、導入スリットの、軸方向で測定された長さが、蛍光ランプのコンタクトピンの長さよりも大きく形成されており、この場合、固定手段はこの長さの外に配置されている。したがって、ピン区分は、フロントシールドから固定のために働く端区分に到るまでの区間で測定して、コンタクトピンの長さよりも大きな長さを有している。
【００１２】
この手段により、ピン区分は、過度に繊弱（ｆｉｌｉｇｒａｎ）になることなしに、極めてスリムに形成することができる。ピン区分の外径は、接続ピンの、互いに離れる方向に向けられた接続面の相互間隔よりも少しだけ小さく形成されていると有利である。スリット幅は少なくとも接続ピン直径と同じ大きさに形成されている。前で挙げた２つの大きさの間の差は、ピン区分の脚部の許容厚さを生ぜしめる。ピン区分をその端面側の端区分においてのみ固定することにより、脚部の厚さは十分な大きさになり得る。
【００１３】
ロータのための保持ピンはハウジングの後壁に形成されていると有利である。このことは、特に保持ピンが係止ピンとして形成されている場合に、簡単な組付けを可能にする。その場合、ロータもしくは回転体はハウジング開口内に挿入されて、相応する圧力で後壁に係止されるだけで済む。さらに、このようにして、ロータを両ハウジング部分を結束するための手段として利用することも可能となる。このことは、特に、ロータのディスク形のフロントシールドがハウジングの前壁に被さる場合に云える。
【００１４】
本発明の有利な構成では、前記固定手段が遊び少なく、または遊びなしに形成されている。固定手段を遊びなしに形成することは、ハウジング前壁の外面と、保持ピンに設けられた、相応して方向付けされた支承面との間の間隔が、ロータに設けられた相補的な面の間で測定した間隔よりも少しだけ大きく形成されていることにより達成される。これにより、ロータの固定手段はロータのフロントシールドをハウジングの前壁に緊締する。
【００１５】
このことは、係止ピンが円錐面を有していて、この円錐面に、ピン区分の端区分の開口に設けられた円錐状の範囲が対応していることによっても達成され得る。これらの円錐面はハウジング内へのロータの軸方向のプレロードもしくは予荷重を生ぜしめる。
【００１６】
円錐状の区分は、ロータの改善されたセンタリングおよびロータの、軸方向遊びなしの支承または軸方向遊びをほとんど有しない支承を可能にする。
【００１７】
係止モーメントおよびロータの回転に抗して作用をする抵抗モーメントを調節するためには、フロントシールドとハウジングの前壁との間に配置された係止エレメントを使用することができる。ばね弾性的に設計された係止突起が前壁の一部分であってよく、これらの係止突起はロータのフロントシールドに形成された凹所内に係合することができる。公差の補償および所望の制動モーメントへの適合は、係止突起の高さを変えることにより行うことができる。
【００１８】
提案されたソケットはロータの製作公差に対して比較的鈍感であり、つまりロータの製作公差の影響をほとんど受けない。特に、ロータの導入スリットが端面側の端区分から離れる方向へ拡大することをもたらす製作公差は比較的無害である。ロータがハウジング開口に挿入されると、ハウジング開口の内縁部は、ピン区分の外周面を案内し、この場合、ピン区分は所望の形状を得て、その脚部は互いにほぼ平行に保持されるようになる。
【００１９】
ハウジングにロータを案内するための案内の改善手段、ひいては製作公差の有害な影響を取り除くための別の手段は、前壁とフロントシールドとの間に形成されていてよい別個の支承装置または案内装置にある。この案内装置は、ロータの回転軸線に対して同心的に配置された円弧状のリブと、このリブに対して相補的な溝とにより形成される。リブはフロントシールドの一部分であってよく、溝は前壁に加工成形されていてよい。さらに、溝をフロントシールドに形成し、そしてリブを前壁の一部とすることもが可能である。上記案内装置はラジアル軸受けとして作用し、フロントシールドの両半部を半径方向内側に向かってかつ半径方向外側に向かって支承する。
【００２０】
【発明の実施の形態】
以下に、本発明の実施の形態を図面につき詳しく説明する。
【００２１】
図１には、図３または図８に概略的に図示されているような蛍光ランプ２に用いられるソケット１が示されている。蛍光ランプ２は端部側に、２つのコンタクトピン４，５を備えたベースもしくは口金３を有している。両コンタクトピン４，５は互いに平行にかつ間隔を置いて、口金３から離れる方向へ延びている。
【００２２】
ソケット１はハウジング６を有している。このハウジング６には前側のハウジング部分７と後側のハウジング部分８とが所属している。前側のハウジング部分７は、ほぼ平坦な前壁９を有しており、下側のハウジング部分はやはり平坦な後壁１１を有している。両ハウジング部分７，８は１つの内室を取り囲んでおり、この内室内には、図３および図４に示したコンタクトばね１２，１４が配置されている。これらのコンタクトばね１２，１４は蛍光ランプ２のコンタクトピン４，５の電気的なコンタクトのために働く。
【００２３】
ハウジング部分７，８は、コンタクトばね１２，１４を位置固定的に支承するために、突起、支持面等の形の相応する支承手段を有している。コンタクトばね１２，１４はそれぞれ少なくとも一方の端部に、少なくとも１つの接続手段１５，１６を備えている。この接続手段１５，１６は、たとえばばね差込みコンタクトを形成するために、ばね弾性的なコンタクト舌片に形成されている。接続手段１５，１６には、ハウジング部分７，８のうちの一方のハウジング部分に設けられた差込み開口１７，１８が対応している。これらの差込み開口１７，１８を通じて、絶縁除去された導線端部をハウジング６内に差し込むことができる。ハウジング部分７，８を互いに適正な位置に保持できるようにするためには、たとえば後壁１１に案内突起１９，２０が形成されている。これらの案内突起１９，２０はハウジング部分７の内側輪郭に適合されており、この場合、案内突起１９，２０は、両ハウジング部分７，８が嵌め合わされたときにハウジング部分７の内室内に遊び少なく係合する。
【００２４】
ハウジング６はその前壁９にハウジング開口２２を有している。このハウジング開口２２は回転可能なハウジング部分、いわゆる回転体２３あるいはロータを収容するために働く。回転体２３はディスク形のフロントシールド２４を有しており、このフロントシールド２４の、ランプに面した外面は、ほぼ平坦に形成されている。フロントシールド２４の裏側はピン区分２５を有しており、このピン区分２５は図４に示したように、組み付けられた状態では、後壁１１にまで延びている。フロントシールド２４およびピン区分２５は導入スリット２６により貫通されている。この導入スリット２６の幅は各コンタクトピン４，５の直径よりも少しだけ大きく形成されている。導入スリット２６はフロントシールド２４の直径にわたって延びている（図１、図２）。導入スリット２６は上側のハウジング部分７の外縁部により続いていて、導入開口２７へ移行している。導入開口２７は、特に図５から判るように、ほぼホッパ形に形成されていて、ハウジング開口２２に開口している。
【００２５】
導入スリット２６はピン区分２５をほぼ完全に貫通しているが、しかしこの場合、ピン区分２５の端面側の自由端部は端区分２８を有しており、この端区分２８は、ピン区分２５の、導入スリット２６により分離された２つの半部２５ａ，２５ｂ（脚部）を互いに結合している。端区分２８はピン区分２５に対して同軸的に配置された支承開口２９を有している。この支承開口２９の自由横断面は導入スリット２６の幅よりも少しだけ小さく形成されている。支承開口２９はハウジング部分８に形成された保持ピン３１と共に、回転体２３のための固定手段３２を形成している。
【００２６】
保持ピン３１は、図３または図４から判るように、後壁１１に形成されていると有利である。保持ピン３１はヘッド３３を有しており、このヘッド３３の直径は支承開口２９の自由横断面よりも大きく形成されているが、しかし導入スリット２６の幅よりも小さく形成されている。この状態は特に図４から判る。図４には、ヘッド３３の面取りされた円錐状の縁部と、支承開口２９に設けられた、下方に向かって後壁１１に向けられたホッパ形の拡張部３４とが示されている。したがって、保持ピン３１とそのヘッド３３とを貫通した、保持ピン３１をばね弾性的な脚部３１ａ，３１ｂに分割しているスリット３４と相まって、回転体２３をハウジング部分８に係止結合することを可能にする係止手段が提供されている。
【００２７】
ヘッド３３の、後壁１１に面した側は、環状面３５を有している。この環状面３５は端区分２８のための当付け面として働く。環状面３５および端区分２８の位置はこの場合、回転体２３が、閉じられたハウジング６内に嵌め込まれていて、そのフロントシールド２４が前壁９に接触している場合に、環状面３５および端区分２８がプレロードもしくは予荷重をかけられて互いに接触するように設定されている。さらに、固定手段３２は後側のハウジング部分８における回転体２３のための、軸方向では固定であるが回転可能である支承部を形成している。したがって、図７から判るように、後壁１１は回転体２３を支承するためにも（固定手段３２）、コンタクトばね１２，１４（図７ではコンタクトばね１２しか見えていない）を支承するためにも働く。これによって、回転体２３およびコンタクトばね１２，１４の空間的な対応関係における特に良好な精度が可能となり、ひいては確実なコンタクト付与が可能になる。
【００２８】
図２〜図５から判るように、回転体２３はピン区分２５の両側で半径方向に案内されているか、もしくは支承されている。このためには、端面側の端部で固定手段３２が働く。ピン区分２５の反対の側の端部では、環状もしくは円弧状のリブ３７によって支承が行われる。このリブ３７は、たとえばハウジング開口２２の縁部に直接に配置されている。リブ３７の内周面３８は、たとえば対応する環状の段部３９のための支承面をして働く。この環状の段部３９はフロントシールド２４のすぐ近くでピン区分２５を取り囲んでいる。
【００２９】
フロントシールド２４の、前壁９に面した裏面には、段部３９に対して若干の間隔を置いて、導入スリット２６により２個所で中断されたリブ４１が設けられている。このリブ４１は段部３９と共に、リブ３７を収容するための環状溝４２を仕切っている。リブ３７と環状溝４２とは一緒になって支承手段４３を形成しており、この支承手段４３によってフロントシールド２４は前側のハウジング部分７に回転可能に支承されている。この場合、フロントシールド２４の、導入スリット２６により互いに分離された両半部は、回転体２３の生産公差とは無関係に、つまり回転体２３の生産公差の影響を受けることなく、所定の相互間隔、つまり導入スリット２６がその所要の幅を有するようになり、ただしこの所要幅を超過することのないような相互間隔に保持される。したがって、回転体２３の形状安定性は、その大規模なスリットを付与されたピン区分２５の剛性に関連するのではなく、ハウジング６により決定される。
【００３０】
回転体２３は係止手段４５によって優先回転位置に保持される（図５および図６）。係止手段４５には係止舌片４６が所属しており、これらの係止舌片４６は、それぞれ前壁９に設けられたＵ字形のスリット４７によって、フロントシールド２４によりカバーされた範囲で一部を残して切り出されている。係止舌片４６の一方の端部は前壁９に結合されている。係止舌片４６の他方の端部は係止突起４８を保持しており、この係止突起４８は両周方向でそれぞれ１つの傾斜面を備えている。
【００３１】
係止突起４８には、図６に示した凹所４９が対応している。これらの凹部４９は、フロントシールド２４の、前壁９に面した側に形成されている。凹所４９はこの場合、９０°の角度間隔を置いて配置されていると有利である。同じことは係止突起４８にも云える。これにより、９０゜の相互間隔を置いて配置された合計４つの安定した休止位置が得られる。必要に応じて、係止作用を高める目的で、図５に示した２つの係止舌片４６の代わりに、合計４つの係止舌片を設けることもできる。その場合、これらの係止舌片は９０°の相互間隔で配置される。さらに、別の係止位置を確定する目的で、１つまたは複数の係止舌片を９０°の相互間隔パターン外に配置することも可能である。さらに別の択一的な手段としては、係止作用をむしろ弱めたい場合に、唯一つの係止舌片しか設けないことも可能である。
【００３２】
以上説明したソケット１は、次のように機能する。
【００３３】
組付けのために、ハウジング６が、このハウジング６内に内蔵されたコンタクトばね１２，１４と共に組み立てられ、回転体２３がハウジング開口２２内に挿入される。このときに、回転体２３に設けられた支承開口２９は保持ピン３１のヘッド３３に被さってスナップ式に係止される。この過程では、さらにリブ３７が環状溝４２内に嵌入する。このためには、リブ３７の内面と外面とがそれぞれ円錐状の案内面３８ａ，３８ｂを有している（図３）。こうして、脚部２５ａ，２５ｂが互いに平行に位置決めされなくなることに現れる生産公差が補償される。回転体２３は両方の軸方向端部において半径方向に案内されているか、もしくは支承されている。このためには、固定手段３２および案内手段もしくは支承手段４３（図４）が働く。ロータもしくは回転体２３は両ハウジング部分７，８を結合し、このときに両側の案内によって安定したままとなり、この場合、ロータもしくは回転体２３は、たとえば４.７５mmのピン間隔しか有しず、かつ２.６７mmの比較的大きなピン直径を有するような、ランプ２の最小構造においても適している。回転体２３の内部は空いており、固定手段は決して必要とならない。
【００３４】
ピン口金を備えたランプのためのソケットは回転体２３を有しており、この回転体２３はソケット１のハウジング６内に、回転体２３のピン区分２５の端部で保持されている。支承のためには固定手段３２が働く。この固定手段３２は回転体２３の軸方向の係止および回転体２３の回転可能な支承を行う。補足的に、回転体２３のフロントシールド２４の下に支承手段４３を配置することができる。この支承手段４３は案内装置として形成されている。リブ３７またはその他の突起が形成され、これらの突起は回転体２３に設けられた対応する環状溝４２内に係合し、これによって回転体２３の、導入スリット２６により分離された両半部を半径方向で支承する。突起と環状溝の配置は逆にすることもできる。その場合には、フロントシールド２４に設けられた突起が、前壁９に設けられた対応する環状溝内に係合する。
【００３５】
図８には、本発明のさらに別の変化実施例が示されている。この変化実施形は大体において前で説明した実施例に相応している。特に別記しない限り、同一の構成部分には同じ符号を使用し、これらの構成部分に関しては再度の説明は省略する。
【００３６】
前で説明した実施例とは異なり、支承ピン３１はディスク形のヘッドを有しておらず、円錐状の外側の支承面５１を有している。この支承面５１には、支承開口２９に設けられた円錐面５２が対応している。これらの円錐面は、支承ピン３１が半径方向で外方へ向かって応力を加えられると、回転体２３をハウジング開口２２内へ軸方向で引き込む。これにより、フロントシールド２４は前壁９上に引き付けられる。支承ピンはあらかじめ図示の形に製造されているか、またはまず円筒状に製造されていてよい。後者の場合には、支承ピンはロータもしくは回転体２３の挿入後に、塑性変形または熱による拡開に基づき、図示の形状を得る。
【図面の簡単な説明】
【図１】本発明によるソケットの一部を示す斜視図である。
【図２】図１のソケットを別の角度から見た斜視図である。
【図３】図１および図２のソケットの分解図である。
【図４】ソケットの断面図である。
【図５】ソケットのハウジングの斜視図である。
【図６】ソケットのロータの斜視図である。
【図７】ロータを備えたハウジング後壁の斜視図である。
【図８】変化実施例によるソケットの断面図である。
【符号の説明】
１  ソケット、  ２  蛍光ランプ、  ３  口金、  ４  コンタクトピン、  ５コンタクトピン、  ６  ハウジング、  ７  前側のハウジング部分、  ８  後側のハウジング部分、  ９  前壁、  １１  後壁、  １２  コンタクトばね、  １４  コンタクトばね、  １５  接続手段、  １６  接続手段、  １７  差込み開口、  １８  差込み開口、  １９  案内突起、  ２０  案内突起、  ２２  ハウジング開口、  ２３  回転体、  ２４  フロントシールド、  ２５  ピン区分、  ２５ａ  半部、  ２５ｂ  半部、  ２６  導入スリット、  ２７  導入開口、  ２８  端区分、  ２９  支承開口、  ３１  保持ピン、  ３１ａ  脚部、  ３１ｂ  脚部、  ３２  固定手段、  ３３  ヘッド、  ３４  拡大部、  ３５  環状面、  ３７  リブ、  ３８  内周面、  ３８ａ  案内面、  ３８ｂ  案内面、  ３９  段部、  ４１  リブ、  ４２  環状溝、  ４３  支承手段、  ４５  係止手段、  ４６  係止舌片、  ４７  スリット、  ４８  係止突起、  ４９  凹所、  ５１  支承面、  ５２  円錐面
【図１】
0004190794.tif 000002
【図２】
0004190794.tif 000003
【図３】
0004190794.tif 000004
【図４】
0004190794.tif 000005
【図５】
0004190794.tif 000006
【図６】
0004190794.tif 000007
【図７】
0004190794.tif 000008
【図８】
0004190794.tif 000009